(57)【特許請求の範囲】
【請求項１】
貯湯槽と、該貯湯槽内の湯を加熱する加熱手段と、入水管と、該入水管から供給される水を前記貯湯槽内で貯湯槽の湯によって間接加熱するための熱交換手段と、該熱交換手段を介して加熱された温水を出湯する出湯管と、該出湯管に流れる温水に必要に応じて混水を行う湯水混合手段と、該湯水混合手段を経た温水を供給する給湯管と、該給湯管に流れる流量を制御する流量制御手段とを有する貯湯式給湯装置であって、前記流量制御手段は、制限流量Ｑｍａｘを過流出防止号数Ｇｋから下記の式で演算して、該制限流量により過流出防止を行う構成とすると共に、この演算に供する過流出防止号数Ｇｋについては、検出貯湯温度に応じて予め号数を定める構成としたことを特徴とする貯湯式給湯装置。
式：Ｑｍａｘ＝｛２５／（給湯温度Ｔｑ−入水温度Ｔｎ）｝×Ｇｋ
【請求項２】
貯湯槽と、該貯湯槽内の湯を加熱する加熱手段と、前記貯湯槽に入水を行う入水管と、前記貯湯槽内の温水を出湯する出湯管と、該出湯管に流れる温水に必要に応じて混水を行う湯水混合手段と、該湯水混合手段を経た温水を供給する給湯管と、該給湯管に流れる流量を制御する流量制御手段とを有する貯湯式給湯装置であって、前記流量制御手段は、制限流量Ｑｍａｘを過流出防止号数Ｇｋから下記の式で演算して、該制限流量により過流出防止を行う構成とすると共に、この演算に供する過流出防止号数Ｇｋについては、検出貯湯温度に応じて予め号数を定める構成としたことを特徴とする貯湯式給湯装置。
式：Ｑｍａｘ＝｛２５／（給湯温度Ｔｑ−入水温度Ｔｎ）｝×Ｇｋ
【請求項３】
制限流量Ｑｍａｘの演算に供する過流出防止号数Ｇｋについては、検出貯湯温度Ｔｃが６０〜７０℃の範囲から予め定めた一定温度に対してそれ以上の温度である場合には、過流出防止号数Ｇｋを１９〜２４号の範囲の中から予め定めた一定号数とし、前記６０〜７０℃の範囲から予め定めた一定温度に対してそれ未満の温度である場合には、過流出防止号数Ｇｋを１０〜１５号の範囲の中から予め定めた一定号数とすることを基本としたことを特徴とする請求項１又は２に記載の貯湯式給湯装置。
【請求項４】
６０〜７０℃の範囲から予め定めた一定温度に対して検出貯湯温度Ｔｃがそれ以上である場合に１９〜２４号の範囲の中から予め定めた一定の過流出防止号数Ｇｋを変更する場合は、少なくとも貯湯槽内の湯の温度、或いは湯水混合手段を経て給湯管を流れる温水の温度、或いは貯湯槽内の湯を加熱する加熱手段の燃焼状態が安定状態であることを条件とすることを特徴とする請求項３に記載の貯湯式給湯装置。
【請求項５】
過流出防止号数Ｇｋの変更は、一回毎に現在の過流出防止号数Ｇｋに対して一定の号数ずつ変更することを特徴とする請求項１〜４の何れかに記載の貯湯式給湯装置。
【請求項６】
制限流量を変更した場合は、変更後の制限流量を記憶しておくようにしたことを特徴とする請求項１〜５の何れかに記載の貯湯式給湯装置。
【発明の詳細な説明】
【０００１】
【発明の属する技術分野】
本発明は貯湯式給湯装置に関する。
【０００２】
【従来の技術】
瞬間式の給湯装置に過流出防止用の流量制御器を具備しているものにおいては、前記流量制御器による流量制御は、その時の入水温度とリモコン設定温度と入水温度等から演算されるフィードフォワード出力値と、実際の出湯温度とから求められる出力値とから器具の能力状態を求めて、出湯温度が設定温度通り出るように過流出で流量補正をしていた。
【０００３】
【発明が解決しようとする課題】
ところがセミ貯湯タイプ等の貯湯式給湯装置の場合には、貯湯槽の内容量が大きいため、貯湯槽内の温度が安定しにくく、また出湯温度（貯湯温度）が安定していても貯湯温度が異常に低い状態で安定していることもあることから、上記瞬間式給湯装置の場合と同様に過流出を制御することは困難であった。そしてリモコン設定温度通りの出湯温度を得るためには、給湯装置の最大能力よりもかなり絞った過流出防止号数にすることによってしか実現できないという問題点を有していた。
【０００４】
そこで本発明は上記従来の貯湯式給湯器における不都合を解消し、セミ貯湯タイプ等の貯湯式給湯器において、入水圧の増加によって水量が流れやすくなった場合においても、必要以上に水量を絞ることのない、使用勝手のよい貯湯式給湯装置の提供を課題とする。
【０００５】
【課題を解決するための手段】
上記課題を達成するため、本発明の貯湯式給湯装置は、貯湯槽と、該貯湯槽内の湯を加熱する加熱手段と、入水管と、該入水管から供給される水を前記貯湯槽内で貯湯槽の湯によって間接加熱するための熱交換手段と、該熱交換手段を介して加熱された温水を出湯する出湯管と、該出湯管に流れる温水に必要に応じて混水を行う湯水混合手段と、該湯水混合手段を経た温水を供給する給湯管と、該給湯管に流れる流量を制御する流量制御手段とを有する貯湯式給湯装置であって、前記流量制御手段は、制限流量Ｑｍａｘを過流出防止号数Ｇｋから下記の式で演算して、該制限流量により過流出防止を行う構成とすると共に、この演算に供する過流出防止号数Ｇｋについては、検出貯湯温度に応じて予め号数を定める構成としたことを第１の特徴としている。
式：Ｑｍａｘ＝｛２５／（給湯温度Ｔｑ−入水温度Ｔｎ）｝×Ｇｋ
また本発明の貯湯式給湯装置は、貯湯槽と、該貯湯槽内の湯を加熱する加熱手段と、前記貯湯槽に入水を行う入水管と、前記貯湯槽内の温水を出湯する出湯管と、該出湯管に流れる温水に必要に応じて混水を行う湯水混合手段と、該湯水混合手段を経た温水を供給する給湯管と、該給湯管に流れる流量を制御する流量制御手段とを有する貯湯式給湯装置であって、前記流量制御手段は、制限流量Ｑｍａｘを過流出防止号数Ｇｋから下記の式で演算して、該制限流量により過流出防止を行う構成とすると共に、この演算に供する過流出防止号数Ｇｋについては、検出貯湯温度に応じて予め号数を定める構成としたことを第２の特徴としている。
式：Ｑｍａｘ＝｛２５／（給湯温度Ｔｑ−入水温度Ｔｎ）｝×Ｇｋ
また本発明の貯湯式給湯装置は、上記第１又は第２の特徴に加えて、制限流量Ｑｍａｘの演算に供する過流出防止号数Ｇｋについては、検出貯湯温度Ｔｃが６０〜７０℃の範囲から予め定めた一定温度に対してそれ以上の温度である場合には、過流出防止号数Ｇｋを１９〜２４号の範囲の中から予め定めた一定号数とし、前記６０〜７０℃の範囲から予め定めた一定温度に対してそれ未満の温度である場合には、過流出防止号数Ｇｋを１０〜１５号の範囲の中から予め定めた一定号数とすることを基本としたことを第３の特徴としている。
また本発明の貯湯式給湯装置は、上記第３の特徴に加えて、６０〜７０℃の範囲から予め定めた一定温度に対して検出貯湯温度Ｔｃがそれ以上である場合に１９〜２４号の範囲の中から予め定めた一定の過流出防止号数Ｇｋを変更する場合は、少なくとも貯湯槽内の湯の温度、或いは湯水混合手段を経て給湯管を流れる温水の温度、或いは貯湯槽内の湯を加熱する加熱手段の燃焼状態が安定状態であることを条件とすることを第４の特徴としている。
また本発明の貯湯式給湯装置は、上記第１〜第４の何れかの特徴に加えて、過流出防止号数Ｇｋの変更は、一回毎に現在の過流出防止号数Ｇｋに対して一定の号数ずつ変更することを第５の特徴としている。
また本発明の貯湯式給湯装置は、上記第１〜第５の何れかの特徴に加えて、制限流量を変更した場合は、変更後の制限流量を記憶しておくようにしたことを第６の特徴としている。
【０００６】
【発明の実施の形態】
以下、本発明の実施の形態を図面を参照しながら説明する。
図１は本発明の第１の実施形態を示す貯湯式給湯装置の全体概略図、図２は流量制御手段を用いた給湯の過流出防止を行う制御フローチャート、図３は本発明の第２の実施形態を示す貯湯式給湯装置の全体概略図である。
【０００７】
先ず図１に示す第１の実施形態は、給湯に供する水を貯湯槽の湯で間接加熱することで温水とし、給湯を行う形式の貯湯式給湯装置である。
１０はセミ貯湯槽としての貯湯槽で、その下部に燃焼室１１を有する。貯湯槽１０の上には、排ガス集合室１２が設けられている。前記燃焼室１１と排ガス集合室１２との間には複数本の煙管１３が連通され、燃焼室１１で発生した高温の排ガスが煙管１３を通って排ガス集合室１２に導かれ、更に装置外へ排出される。貯湯槽１０内の湯（水）は前記煙管１３を通る排ガスによっても加熱される。２０はバーナで、送風器２１を備え、ノズル２２から液体燃料を噴霧して燃焼室１１内で燃焼させる。なお、前記液体燃料の代わりにガス燃料であってもよい。燃料の種類や燃焼のさせ方は特に限定されない。
【０００８】
前記貯湯槽１０に対して、給湯用回路として入水管３１、熱交換手段としての熱交換コイル３２、出湯管３３、給湯管３４が設けられている。前記入水管３１からの水は、熱交換コイル３２を通過する間に貯湯槽１０内の湯によって間接加熱されて出湯管３３を通って出湯され、更に湯水混合手段３５によって前記入水管３１の分岐管３１ａを通って供給される水と必要に応じて混合されて、給湯管３４に流れる。
前記給湯管３４に流れる温水の流量は、流量制御手段である過流出防止流量調整器３６によってその最大可能流量が調整される。給湯管３４を流れた温水は給湯カラン等から給湯に供される。また浴槽への湯張り管３７を経て浴槽に給湯される。
前記入水管３１には入水温度センサ４１、入水流量センサ４２が設けられている。また前記貯湯槽１０には貯湯槽１０内の湯の温度を検出する貯湯温度センサ４３が設けられている。また前記出湯管３３には温水の出湯温度を検出する出湯温度センサ４４が設けられている。更に前記給湯管３４には給湯温度を検出する給湯温度センサ４５が設けられている。
【０００９】
前記貯湯槽１０には、風呂追い焚き回路として風呂往き管５１、風呂加熱コイル５２、風呂戻り管５３が接続されている。
更に貯湯槽１０には、温水暖房回路として暖房往き管６１と暖房戻り管６２とが直接的に接続され、貯湯槽１０の温水を直接利用できるようにされている。
なお前記風呂追い焚き回路と温水暖房回路は、本発明においては必ずしも必要ではない。
【００１０】
７０はコントローラで、８０はリモコンである。前記コントローラ７０はマイクロコンピュータを内蔵し、リモコン８０からの指令により、装置のセンサ類からの情報を得て、予め内蔵のソフトウエア等に従って所定の制御指令を装置各部に行う。
【００１１】
前記流量制御手段である過流出防止流量調整器３６による給湯管３４に流れる流量の制御、即ち過流出防止のための制限流量の調整は、給湯に関するデータを基に行う。
前記給湯に関するデータとは、前記入水温度センサ４１の検出する検出データ、前記貯湯温度センサ４３の検出する検出データ、前記給湯温度センサ４５の検出する検出データ、及び前記リモコン８０で設定される設定給湯温度データとすることができる。
また前記過流出防止のための制限流量の調整は、少なくとも貯湯温度センサ４３が検出する貯湯槽１０内の湯の温度、或いは給湯温度センサ４５が検出する給湯管を流れる温水の温度、或いは前記貯湯槽１０内の温水を加熱する加熱手段であるバーナ２０の燃焼状態が安定していることを条件に行うことができる。
【００１２】
図２のフローチャートに従って、流量制御手段を用いて給湯の過流出防止を行う場合のより具体的な制御の形態を説明する。
今、装置の運転スイッチがオンされている状態において、コントローラ７０は貯湯温度センサ４３による検出貯湯温度Ｔｃが７０℃未満であるか否かを判断し（ステップＳ１）、検出貯湯温度Ｔｃが７０℃未満であれば（ステップＳ１でイエス）、入水流量センサ４２が最低作動水量（ＭＯＱ）以上である（給湯が現実に行われている）ことを条件に（ステップＳ２でイエス）、過流出防止流量調整器３６による過流出防止の制限流量を過流出防止号数１３号になるようにする（ステップＳ３）。一方、前記ステップＳ１において、検出貯湯温度Ｔｃが７０℃以上（ステップＳ１でノー）の場合には、過流出防止流量調整器３６による過流出防止の制限流量を過流出防止号数２３号になるようにする（ステップＳ４）。前記において、貯湯温度Ｔｃが通常において使用する給湯温度よりもかなり高い温度である７０℃以上である場合には、かなりの給湯流量を流しても安定して設定給湯温度Ｔｓの温水を流すことが可能であるので、過流出防止号数を２３号として比較的大流量を流すことができるようにした。一方、７０℃未満の場合は、その状態において大流量が流された場合には給湯温度が下がりやすく、所定の設定給湯温度の温水を流すことが出来なくなる可能性もあるので、中程度の流量以上流せないように過流出防止号数を１３号とした。
前記ステップＳ１において、７０℃はこの値に限定されるものではない。通常において使用する給湯温度よりも高い温度としての一定温度、例えば６０〜７０℃の何れかの温度を選択することができる。この温度は、勿論貯湯槽１０の容量等によっても変るものであるので、その給湯装置の機種や規模等に応じて予め実験によって定めておくことになる。
前記ステップＳ３において、過流出防止号数１３号はこの値に限定されるものではない。中程度の流量として、例えば１０〜１５号程度の中から予め実験により定めておくことになる。
前記ステップＳ４において、過流出防止号数２３号はこの値に限定されることはない。比較的大流量として、例えば１９〜２４号程度の中から予め実験により定めておくことになる。
【００１３】
上記において号数とは、１リットルの水を１分間に２５℃上昇させる熱量をいう。本実施形態の貯湯式給湯装置では、燃焼の号数が最大２５．５号とされている。
前記燃焼号数Ｇは次の式１で演算することができる。
【００１４】
0003731450.tif 000002
【００１５】
従って、逆にある１つの号数Ｇｋを決めれば、ある給湯温度Ｔｑ及び入水温度Ｔｎにおいて、前記号数Ｇｋを得ることが可能な最大流量Ｑｍａｘ（即ち、これを超える流量が流れる場合には過流出となって、前記所定の号数Ｇｋを得ることが出来なくなる最大流量）が定まる。
前記最大流量Ｑｍａｘを制限流量とし、該制限流量Ｑｍａｘを与える前記号数Ｇｋを過流出防止号数とする。この制限流量Ｑｍａｘと過流出防止号数Ｇｋとの関係を次の式２に示す。
【００１６】
Ｑｍａｘ＝｛２５／（給湯温度Ｔｑ−入水温度Ｔｎ）｝×Ｇｋ・・・式２
【００１７】
過流出防止号数Ｇｋは、その値が大きいほど制限流量Ｑｍａｘが多くなる。本実施形態においては、過流出防止号数Ｇｋの最大値を前記燃焼号数Ｇの最大値である２５．５号と同じにしている。この過流出防止号数Ｇｋは２５．５号より大きくすることも可能である。
【００１８】
前記ステップＳ４において過流出防止号数２３号で運転中、コントローラ７０は、貯湯温度センサ４３が検出する貯湯温度（検出貯湯温度）Ｔｃが１分以内に１℃以上変化しないかを監視し（ステップＳ５）、またバーナ２０の燃焼号数Ｇが１分以内に０．５号以上変化しないかを監視し（ステップＳ６）、更に給湯温度センサ４５が検出する給湯温度（検出給湯温度）Ｔｑが１分以内に１℃以上変化しないかを監視する（ステップＳ７）。
そして前記貯湯温度Ｔｃが７０℃以上で（ステップＳ１でイエス）且つ前記ステップＳ５〜Ｓ７の各条件の全てがイエスの場合には、安定した給湯温度で給湯が安定して行われる状況にあると判断する。
【００１９】
前記ステップＳ５においては、検出貯湯温度Ｔｃが１分以内に１℃以上変化しないことを貯湯温度の安定条件としているが、この１分及び１℃の値はこれに限定されるものではない。要する貯湯温度が安定していると判断することができる条件を予め実験により定め、これを採用すればよい。この貯湯温度の安定条件は、例えば貯湯温度が単位時間当たりに一定温度以上変化しないことを条件とすることができる。
また前記ステップＳ６においては、燃焼号数Ｇが１分以内に０．５号以上変化しないことを燃焼の安定条件としているが、この１分及び０．５号の値はこれに限定されるものではない。要するに燃焼状態が安定していると判断することができる条件を予め実験で得て、これを採用すればよい。この燃焼状態の安定条件は、例えば燃焼号数Ｇが単位時間当たりに一定号数以上変化しないことを条件とすることができる。
また前記ステップＳ７においては、検出給湯温度Ｔｑが１分以内に１℃以上変化しないことを給湯温度の安定条件としているが、この１分及び１℃の値はこれに限定されるものではない。要する給湯温度が安定していると判断することができる条件を予め実験により定め、これを採用すればよい。この給湯温度の安定条件は、例えば貯湯温度が単位時間当たりに一定温度以上変化しないことを条件とすることができる。
また上記においては給湯が安定した給湯温度で安定して行われていると判断する条件として、貯湯温度Ｔｃの安定、燃焼号数Ｇの安定、及び給湯温度Ｔｑの安定の３条件を条件としたが、給湯温度Ｔｑと貯湯温度Ｔｃとの２条件の安定、或いは給湯温度Ｔｑと燃焼号数Ｇとの２条件の安定を条件とすることも可能である。更に、安定の条件を上記のうちの１条件とすることもできるが、このような場合には安定判定時間を長くすることが望ましい。何れにしても、安定条件と安定判定時間から安定状態が正しく判定できるようにすれば実現できる。
【００２０】
前記ステップＳ５〜Ｓ７がイエスの場合には、コントローラ７０は、リモコン８０による設定給湯温度Ｔｓが検出給湯温度Ｔｑよりも大きいか否かを監視（ステップＳ８）し、設定給湯温度Ｔｓの方が検出給湯温度Ｔｑよりも大きい場合（ステップＳ８でイエス）には、過流出防止流量調整器３６の過流出防止号数Ｇｋを現在の号数Ｇｋ（最初は２３号である）から０．２号減じた号数に変更する。更に変更後の過流出防止号数Ｇｋを記憶する（ステップＳ９）。そしてステップＳ５に戻る。
前記ステップＳ９において、過流出防止号数Ｇｋを１回につき０．２号減じることで、過流出防止流量調整器３６の制限流量Ｑｍａｘが現在の流量から０．２号に相当する流量だけ減じられる。即ち過流出防止号数Ｇｋが、例えば２３号から２２．８号になる。この過流出防止号数Ｇｋ＝２２．８号に対応する制限流量Ｑｍａｘは上記式２で得ることができ、これが新たな制限流量Ｑｍａｘとなる。以上のようにして過流出防止号数Ｇｋを一定号数毎減じつつ、ステップＳ５〜Ｓ９を短期間で繰り返すことで、設定給湯温度Ｔｓの給湯に調整することができる。
なお上記においては、１回について０．２号を減じることとしているが、０．２号に限定させるものではない。例えばステップＳ５〜Ｓ８の１サイクル時間に応じて、減じる号数を変更することができる。１回毎の減じる号数は予め実験により適当な値を、例えば０．１号〜数号の範囲で定めておくことになる。
【００２１】
上記ステップＳ８でノーの場合（検出給湯温度Ｔｑの方が設定給湯温度Ｔｓよりも大きいか同じである）には、コントローラ７０は過流出防止流量調整器３６の現在の過流出防止号数Ｇｋが最大値（本実施形態の場合は２５．５号）になっているか否かを判断（ステップＳ１０）し、最大値になっていれば（ステップＳ１０でイエス）、それ以上過流出防止号数Ｇｋを上げる余地がないので、ステップＳ５に戻る。
ステップＳ１０でノーの場合（過流出防止号数Ｇｋが最大値ではない場合）には、コントローラ７０は、更に検出貯湯温度Ｔｃが設定給湯温度Ｔｓより１０℃以上高いか否かを判断（ステップＳ１１）し、高い場合には（ステップＳ１１でイエス）過流出防止流量調整器３６の過流出防止号数Ｇｋを現在の号数Ｇｋ（最初は２３号である）から０．１号加えた号数に変更する。また変更後の過流出防止号数Ｇｋを記憶する（ステップＳ１２）。そしてステップＳ５に戻る。ステップＳ１１でノーの場合は、そのままステップＳ５に戻る。
【００２２】
前記ステップＳ１１において、検出貯湯温度Ｔｃが設定給湯温度Ｔｓ以上であっても、あまり高くない場合には、流量変化や再出湯時に給湯のアンダーシュートが出やすくなるので、１０℃以上高いとした。従ってこの加算温度１０℃は、この値に限定されるものではない。予め実験により、給湯の流量変化や再出湯時にアンダーシュートが出ないような適当な加算温度、例えば４〜１２℃程度の何れか適当な温度を定めることができる。
また前記ステップＳ１２において、１回について０．１号を加えることとしているが、０．１号に限定させるものではない。例えばステップＳ５〜Ｓ８及びＳ１０〜Ｓ１２の１サイクル時間に応じて、加える号数を変更することができる。１回毎の加える号数は予め実験により適当な値を、例えば０．１号〜数号の範囲で定めておくことになる。
以上のようにして過流出防止号数Ｇｋに一定号数ずつ加えて行くことで、設定給湯温度Ｔｓの給湯を、燃焼能力等に応じた十分なる流量をもって供給することができ、能力の持ち腐れを解消することができる。
【００２３】
上記ステップＳ９及びＳ１２において、変更した過流出防止号数Ｇｋを記憶させることにより、次回以降における使用時においても、設定温度通りの給湯を速やかに且つ高出力で行うことができる。
【００２４】
尚、上記図２のフローチャートのステップＳ９及びＳ１２においては、過流出防止のための制限流量Ｑｍａｘを調整するのに、過流出防止号数Ｇｋを１回につき一定号数ずつ減じたり、加えたりして調整を行う構成としているが、代わりに、過流出防止のための最適の制限流量Ｑｍａｘを直接的に一気に演算して、その演算された制限流量Ｑｍａｘに変更する構成としてもよい。勿論、この場合も変更後の制限流量Ｑｍａｘはコントローラ７０に記憶させるようにする。
前記制限流量Ｑｍａｘの演算は次の式３で行うことができる。
【００２５】
Ｑｍａｘ＝｛２５／（給湯温度Ｔｑ−入水温度Ｔｎ）｝×Ｇ・・・式３
ここでＱｍａｘは目標とされる変更後の制限流量、Ｇは現行の燃焼号数である。
【００２６】
目標とする制限流量Ｑｍａｘを一気に演算して、その値に変更する構成とする仕方は、設定給湯温度と検出給湯温度との差が大きい場合に有効である。
【００２７】
図３は第２の実施形態を示す貯湯式給湯装置である。この給湯装置は、給湯に貯湯槽１０の温水を直接使用するようにした点において、上記図１に示す第１の実施形態と異なっている。貯湯槽１０の下部に燃焼室１１が設けられ、貯湯槽１０の上に排ガス集合室１２が設けられている。燃焼室１１と排ガス集合室１２とは複数本の煙管１３で接続されている。前記燃焼室１１には送風器２１とノズル２２を備えたバーナ２０が臨まされている。
また給湯回路として、入水管３１、出湯管３３が設けられている。なお、第１の実施形態で設けられていた熱交換手段としての熱交換コイルは、本実施形態では設けられていない。
前記入水管３１の分岐管３１ａと前記出湯管３３とが湯水混合手段３５に接続されて、必要に応じて混水ができるようにされている。湯水混合手段３５を経た温水は給湯管３４を経て給湯に供される。給湯管３４の途中には過流出を防止するための流量調節手段としての過流出防止流量調整器３６が設けられている。また給湯管３４の途中からは浴槽への湯張り管３７が設けられている。
【００２８】
前記入水管３１には入水温度センサ４１、入水流量センサ４２が設けられ、貯湯槽１０には貯湯温度センサ４３が設けられ、出湯管３３には出湯温度センサ４４が設けられ、給湯管３４には給湯温度センサ４５が設けられている。
【００２９】
また風呂追い焚き回路として、風呂往き管５１、風呂加熱コイル５２、風呂戻り管５３が接続されている。
本実施形態では、暖房回路は設けられていない。
【００３０】
以上のように本第２実施形態は、給湯に関しては、バーナ２０で加熱された貯湯槽１０内の温水をそのまま給湯に供する点で上記第１実施形態と異なるだけである。また過流出防止流量調整器３６を用いた流量調節の仕方については、既述した上記第１の実施形態の場合と同様である。
【００３１】
【発明の効果】
本発明は以上の構成よりなり、請求項１に記載の貯湯式給湯装置によれば、貯湯槽と、該貯湯槽内の湯を加熱する加熱手段と、入水管と、該入水管から供給される水を前記貯湯槽内で貯湯槽の湯によって間接加熱するための熱交換手段と、該熱交換手段を介して加熱された温水を出湯する出湯管と、該出湯管に流れる温水に必要に応じて混水を行う湯水混合手段と、該湯水混合手段を経た温水を供給する給湯管と、該給湯管に流れる流量を制御する流量制御手段とを有する貯湯式給湯装置であって、前記流量制御手段は、制限流量Ｑｍａｘを過流出防止号数Ｇｋから下記の式で演算して、該制限流量により過流出防止を行う構成とすると共に、この演算に供する過流出防止号数Ｇｋについては、検出貯湯温度に応じて予め号数を定める構成としたので、
式：Ｑｍａｘ＝｛２５／（給湯温度Ｔｑ−入水温度Ｔｎ）｝×Ｇｋ
間接加熱型の貯湯式給湯装置において、過流出を防止することができる適当な制限流量を無駄なく効果的に調整することが可能となる。
また請求項２に記載の貯湯式給湯装置によれば、貯湯槽と、該貯湯槽内の湯を加熱する加熱手段と、前記貯湯槽に入水を行う入水管と、前記貯湯槽内の温水を出湯する出湯管と、該出湯管に流れる温水に必要に応じて混水を行う湯水混合手段と、該湯水混合手段を経た温水を供給する給湯管と、該給湯管に流れる流量を制御する流量制御手段とを有する貯湯式給湯装置であって、前記流量制御手段は、制限流量Ｑｍａｘを過流出防止号数Ｇｋから下記の式で演算して、該制限流量により過流出防止を行う構成とすると共に、この演算に供する過流出防止号数Ｇｋについては、検出貯湯温度に応じて予め号数を定める構成としたので、
式：Ｑｍａｘ＝｛２５／（給湯温度Ｔｑ−入水温度Ｔｎ）｝×Ｇｋ
貯湯槽内の温水を直接給湯に用いる直接型の貯湯式給湯装置において、過流出を防止することができる適当な制限流量を無駄なく効果的に調整することが可能となる。
また請求項３に記載の貯湯式給湯装置によれば、上記請求項１又は２に記載の構成による効果に加えて、制限流量Ｑｍａｘの演算に供する過流出防止号数Ｇｋについては、検出貯湯温度Ｔｃが６０〜７０℃の範囲から予め定めた一定温度に対してそれ以上の温度である場合には、過流出防止号数Ｇｋを１９〜２４号の範囲の中から予め定めた一定号数とし、前記６０〜７０℃の範囲から予め定めた一定温度に対してそれ未満の温度である場合には、過流出防止号数Ｇｋを１０〜１５号の範囲の中から予め定めた一定号数とすることを基本としたので、
過流出を防止することができる適当な制限流量を無駄なく効果的に調整することが可能となる。
また請求項４に記載の貯湯式給湯装置によれば、上記請求項３に記載の構成による効果に加えて、６０〜７０℃の範囲から予め定めた一定温度に対して検出貯湯温度Ｔｃがそれ以上である場合に１９〜２４号の範囲の中から予め定めた一定の過流出防止号数Ｇｋを変更する場合は、少なくとも貯湯槽内の湯の温度、或いは湯水混合手段を経て給湯管を流れる温水の温度、或いは貯湯槽内の湯を加熱する加熱手段の燃焼状態が安定状態であることを条件とすることとしたので、
過流出防止のための制限流量の変更を、安定した給湯温度での安定した給湯が行われている時に行うことができ、より好ましい方向への制限流量の調整をより確実に且つ正確に行うことができる。
また請求項５に記載の貯湯式給湯装置によれば、上記請求項１〜４の何れかに記載の構成による効果に加えて、過流出防止号数Ｇｋの変更は、一回毎に現在の過流出防止号数Ｇｋに対して一定の号数ずつ変更することにより、
制限流量の目標値への修正を、制限流量の修正にハンチング等を起こすことなく、確実に安定して行うことができる。これにより設定給湯温度への給湯温度の調整を速やかに可能にすると共に、必要以上に流量を制限してしまうことなく、設定給湯温度での給湯を、バーナの能力を十分に生かした十分な流量で行うことが可能となる。
また請求項６に記載の貯湯式給湯装置によれば、上記請求項１〜５の何れかに記載の構成による効果に加えて、制限流量を変更した場合は、変更後の制限流量を記憶しておくようにしたことにより、
次回以降における使用時においても、速やかに設定温度通りの給湯を且つ高出力で行うことができる。
【図面の簡単な説明】
【図１】本発明の第１の実施形態を示す貯湯式給湯装置の全体概略図である。
【図２】流量制御手段を用いた給湯の過流出防止を行う制御フローチャートである。
【図３】本発明の第２の実施形態を示す貯湯式給湯装置の全体概略図である。
【符号の説明】
１０  貯湯槽
１１  燃焼室
１２  排ガス集合室
１３  煙管
２０  バーナ
２１  送風器
２２  ノズル
３１  入水管
３２  熱交換コイル
３３  出湯管
３４  給湯管
３５  湯水混合手段
３６  過流出防止流量調整器
４１  入水温度センサ
４２  入水流量センサ
４３  貯湯温度センサ
４４  出湯温度センサ
７０  コントローラ
８０  リモコン
【図１】
0003731450.tif 000003
【図２】
0003731450.tif 000004
【図３】
0003731450.tif 000005